(57)【特許請求の範囲】
【請求項１】
回路基板と、前記回路基板の一面に配置されるバスバーとを有する回路構成体と、
前記回路基板を収容する収容空間を形成する枠状ケースとを備え、
前記バスバーは、
前記回路基板が接合される本体部と、
前記本体部を挟んで一方と他方に突設され、前記枠状ケースの表面に対面する複数の対面部とを備え、
前記各対面部及び前記枠状ケースは、互いに係止して、前記回路構成体を前記枠状ケースの所定位置に保持する係止構造を備え、
前記係止構造は、前記枠状ケースの表面から前記対面部の外周側面に沿って外表面側に亘る係止突片を備える基板ユニット。
【請求項２】
前記対面部は、
前記本体部に対して立設し、前記枠状ケースの内面に対面する立設部と、
前記立設部に対して屈曲し、前記バスバーの外方に延び、前記枠状ケースの上面に対面する先端部とを備え、
前記係止突片は、前記枠状ケースの上面に設けられる請求項１に記載の基板ユニット。
【請求項３】
回路基板と、前記回路基板の一面に配置されるバスバーとを有する回路構成体と、
前記回路基板を収容する収容空間を形成する枠状ケースとを備え、
前記バスバーは、
前記回路基板が接合される本体部と、
前記本体部を挟んで一方と他方に突設され、前記枠状ケースの表面に対面する複数の対面部とを備え、
前記各対面部は、
前記本体部に対して立設し、前記枠状ケースの内面に対面する立設部と、
前記立設部に対して屈曲し、前記バスバーの外方に延び、前記枠状ケースの上面に対面する先端部とを備え、
前記各対面部及び前記枠状ケースは、互いに係止して、前記回路構成体を前記枠状ケースの所定位置に保持する係止構造を備え、
前記係止構造は、
前記先端部の側縁部から前記先端部が対面する前記枠状ケースの土台部側に突出する係止突片と、
前記土台部における前記先端部の突設方向と交差する方向の側壁に形成され、前記係止突片が係止する凹部とを備える基板ユニット。
【発明の詳細な説明】
【技術分野】
【０００１】
本発明は、基板ユニットに関する。
【背景技術】
【０００２】
特許文献１には、回路構成体をケース内に収容した基板ユニット（電気接続箱）において、ケースに対する回路構成体の位置決め、及び両者の所定位置での保持を行うために、回路構成体をネジによりケースに固定することが開示されている。
【先行技術文献】
【特許文献】
【０００３】
【特許文献１】特開２０１０−１６６６９１号公報
【発明の概要】
【発明が解決しようとする課題】
【０００４】
近年、基板ユニットの生産性を従来よりも向上させることが望まれている。回路構成体とケースとをネジ止めすれば、両者の所定位置での保持を行える。しかし、ネジ止めは、回路構成体及びケースの双方に設けたネジ挿通孔を位置合わせし、その挿通孔にネジをねじ込むため、複数個所をネジ止めする場合には作業が煩雑になり易い。回路構成体とケースとの固定作業を簡略化することができれば、基板ユニットの生産性を向上させることができると期待される。
【０００５】
そこで、ケースに対する回路構成体の所定位置での保持が容易で、生産性に優れる基板ユニットを提供することを目的の一つとする。
【課題を解決するための手段】
【０００６】
本開示に係る基板ユニットは、
回路基板と、前記回路基板の一面に配置されるバスバーとを有する回路構成体と、
前記回路基板を収容する収容空間を形成する枠状ケースとを備え、
前記バスバーは、
前記回路基板が接合される本体部と、
前記本体部を挟んで一方と他方に突設され、前記枠状ケースの表面に対面する複数の対面部とを備え、
前記各対面部及び前記枠状ケースは、互いに係止して、前記回路構成体を前記枠状ケースの所定位置に保持する係止構造を備える。
【発明の効果】
【０００７】
上記基板ユニットは、ケースに対する回路構成体の所定位置での保持が容易で、生産性に優れる。
【図面の簡単な説明】
【０００８】
【図１】実施形態１に係る基板ユニットを示し、上部カバーを取り外した状態の概略斜視図である。
【図２】図１の（ＩＩ）−（ＩＩ）断面図であり、貫通孔に係止突片が挿入されている状態を示す断面図である。
【図３】実施形態１に係る基板ユニットにおける貫通孔に係止突片が係止している状態を示す断面図である。
【図４】実施形態１に係る基板ユニットにおける係止突片の配置箇所近傍の正面図である。
【図５】実施形態２に係る基板ユニットにおける係止構造を示す概略断面図である。
【図６】実施形態３に係る基板ユニットにおける係止構造を示す概略断面図である。
【図７】実施形態４に係る基板ユニットにおける係止構造を示す概略断面図である。
【発明を実施するための形態】
【０００９】
［本発明の実施形態の説明］
最初に、本発明の実施形態を列記して説明する。
【００１０】
（１）本発明の実施形態に係る基板ユニットは、
回路基板と、前記回路基板の一面に配置されるバスバーとを有する回路構成体と、
前記回路基板を収容する収容空間を形成する枠状ケースとを備え、
前記バスバーは、
前記回路基板が接合される本体部と、
前記本体部を挟んで一方と他方に突設され、前記枠状ケースの表面に対面する複数の対面部とを備え、
前記各対面部及び前記枠状ケースは、互いに係止して、前記回路構成体を前記枠状ケースの所定位置に保持する係止構造を備える。
【００１１】
上記構成によれば、各対面部及び枠状ケースに、互いに係止する係止構造を備えることで、回路構成体及び枠状ケース以外の部材（例えば、ネジ等）を用いることなく、枠状ケースに対する回路構成体の所定位置での保持を行える。また、回路構成体と枠状ケースとを組み付けるだけで、回路構成体と枠状ケースとを係止できるため、回路構成体と枠状ケースとを固定する工程（例えば、ネジ付け工程等）を省略できる。更に、各対面部が本体部を挟んで一方と他方に延びて枠状ケースに係止されるため、本体部を挟んで両側から安定して回路構成体を枠状ケースに固定できる。以上より、上記構成によれば、枠状ケースに対する回路構成体の所定位置での保持が容易で、生産性に優れる。回路構成体と枠状ケースとを係止することで、例えば、回路構成体と枠状ケースとの組物を逆さにした場合でも、別部材で保持しなくとも、枠状ケースから回路構成体が脱落したり、枠状ケースに対して回路構成体の位置がずれたりすることを防止できる。
【００１２】
（２）上記の基板ユニットの一例として、前記係止構造は、前記各対面部に形成される貫通孔と、前記枠状ケースから前記各対面部側に突出し、前記貫通孔に係止する係止突片とを備える形態が挙げられる。
【００１３】
係止構造として、各対面部に貫通孔と、枠状ケースに係止突片とを備えることで、枠状ケースに対する回路構成体の所定位置での保持を容易に行える。
【００１４】
（３）上記の基板ユニットの一例として、前記係止構造は、前記枠状ケースの表面から前記対面部の外周側面に沿って外表面側に亘る係止突片を備える形態が挙げられる。
【００１５】
係止構造として、枠状ケースに各対面部の外周側面に沿って外表面側に亘る係止突片を備えることで、対面部に貫通孔を設けなくてもよいため、対面部に貫通孔を設ける場合に比較して、バスバーの導通領域を確保することができる。
【００１６】
（４）上記の基板ユニットの一例として、前記各対面部は、前記本体部に対して立設し、前記枠状ケースの内面に対面する立設部を備え、前記係止構造は、前記立設部及び前記枠状ケースの内面に設けられる形態が挙げられる。
【００１７】
立設部及び枠状ケースの内面に係止構造を備えることで、回路構成体を枠状ケースに組み付ける際に、重力で立設部が枠状ケースの内面に沿って下方に自然落下するため、バスバーに大きな力をかけることなく、回路構成体と枠状ケースとを係止することができる。
【００１８】
［本発明の実施形態の詳細］
以下、図面を参照して、本発明の実施形態に係る基板ユニットを詳細に説明する。図中の同一符号は、同一名称物を示す。
【００１９】
≪実施形態１≫
〔基板ユニット〕
図１〜４を参照して、実施形態１の基板ユニット１を説明する。基板ユニット１は、図１に示すように、回路構成体１０と、回路構成体１０を収容する収容空間を形成するケース４０とを備える。回路構成体１０は、回路基板２０と、回路基板２０と重なるバスバー３０とを備える。ケース４０は、枠状ケース４２と、枠状ケース４２の上方の開口部を覆う上部カバー４４と、枠状ケース４２の下方の開口部を塞ぐ底板（放熱部材５０）とで構成されている。バスバー３０は、回路基板２０が接合される本体部３２（図２，３）と、本体部３２を挟んで一方と他方に突設される複数の延設部３４（図１）とを備える。複数の延設部３４はそれぞれ、枠状ケース４２の表面に対面する対面部３４０を備える。実施形態１の基板ユニット１の主たる特徴とするところは、対面部３４０及び枠状ケース４２が、互いに係止して、回路構成体１０を枠状ケース４２の所定位置に保持する係止構造を備える点にある。本例では、対面部３４０は、本体部３２に対して立設し、枠状ケース４２の内面４２ｍに対面する立設部３４４を備え、係止構造は、立設部３４４に形成される貫通孔３４４ｈと、枠状ケース４２に設けられる係止突片４２０とを備える。以下、各構成を詳細に説明する。なお、以下の説明では、基板ユニット１において、ケース４０の放熱部材５０側を下側、上部カバー４４側を上側とする。
【００２０】
（回路構成体）
回路構成体１０は、回路基板２０と、バスバー３０とを備える。回路基板２０は、図１〜３に示すように、後述するバスバー３０上に配置され、バスバー３０の配置面と反対側の面に、導電パターン（図示せず）が形成された略矩形状のプリント基板である。導電パターンが構成する導電路は、制御用の導電路（回路の一部）である。回路基板２０には、スイッチング素子等の電子部品（図示せず）やコネクタ部２２が実装されている。コネクタ部２２には、図示しない外部の制御装置等の相手側コネクタ部が接続される。
【００２１】
・バスバー
バスバー３０は、図１〜３に示すように、回路基板２０が接合される本体部３２（図２，３）と、本体部３２と一体に成形されると共に、本体部３２から突設される延設部３４（図１）とを備える。バスバー３０の本体部３２には、回路基板２０が接合される。これにより、回路基板２０とバスバー３０とは、一体物として取り扱える。
【００２２】
バスバー３０の延設部３４は、外部機器を電気的に接続するための部分であり、図示しない電線（ワイヤーハーネス）の接続端子が電気的に接続される。延設部３４には、後述する雄ネジ部９０が貫通する貫通孔３４ｈ（図１）が形成されている。本例では、矩形状のバスバー３０の本体部３２の対向する二辺にそれぞれ延設部３４が設けられており、各延設部３４にそれぞれ電線の接続端子が電気的に接続される。各延設部３４，３４は、各雄ネジ部９０と導通可能であれば、回路基板２０の長手方向（各延設部３４，３４の対向方向及び本体部３２の厚み方向の双方に直交する方向）にずれていてもよい。
【００２３】
バスバー３０の延設部３４は、屈曲片により構成される。具体例としては、本体部３２側で本体部３２に沿った基端部３４２と、基端部３４２（本体部３２）に対して上方に立設する立設部３４４と、立設部３４４に対して屈曲し、バスバー３０の外方に延びる先端部３４６とを備える構成が挙げられる。基端部３４２は、後述する放熱部材５０上に配置され、立設部３４４は、後述する枠状ケース４２の内面４２ｍに対面して配置され、先端部３４６は、枠状ケース４２（土台部４２２）の上面４２２ｕに対面して配置される。本例では、枠状ケース４２の表面（内面４２ｍ及び上面４２２ｕ）に対面して配置される立設部３４４及び先端部３４６が対面部３４０である。先端部３４６は、上述した雄ネジ部９０が貫通する貫通孔３４ｈを備える。バスバー３０と上述した電線の接続端子との電気的な接続は、先端部３４６に形成された貫通孔３４ｈに雄ネジ部９０を通すと共に、接続端子に形成された貫通孔に雄ネジ部９０を通し、ナット（図示せず）を雄ネジ部９０に螺合することで行える。
【００２４】
立設部３４４には、複数の貫通孔３４４ｈが設けられている。各貫通孔３４４ｈは、バスバー３０の厚み方向に貫通している。実施形態１の基板ユニット１は、各貫通孔３４４ｈが、回路構成体１０を枠状ケース４２の所定位置に保持する係止構造の構成部材である点を特徴の一つとする。本例では、各立設部３４４に二つの貫通孔３４４ｈを備える。この立設部３４４に設けられた貫通孔３４４ｈについては、後の枠状ケース４２の説明の際に詳述する。
【００２５】
（ケース）
ケース４０は、枠状ケース４２と、上部カバー４４と、放熱部材５０とを備える。枠状ケース４２及び上部カバー４４と、放熱部材５０とを組み合わせて形成される内部空間に回路構成体１０が収容される。
【００２６】
・枠状ケース
枠状ケース４２は、図１に示すように、方形状の枠体であり、バスバー３０の先端部３４６を除く回路構成体１０の外周の四方を覆う。枠状ケース４２は、枠部分を構成する一部にバスバー３０の先端部３４６が載置される土台部４２２を備える。枠状ケース４２に対して回路構成体１０は、図１に示すように、回路基板２０が配置されたバスバー３０の本体部３２及び基端部３４２が、枠状ケース４２の内方で対向する枠片間を渡るように配置され、バスバー３０の立設部３４４が、枠状ケース４２の内面４２ｍに対向して配置され、バスバー３０の先端部３４６が、枠状ケース４２の土台部４２２の上面４２２ｕに対向して配置される。枠状ケース４２には、バスバー３０の立設部３４４が配置される内面４２ｍに、立設部３４４に設けられた貫通孔３４４ｈに係止する係止突片４２０が設けられている。実施形態１の基板ユニット１は、各係止突片４２０が、回路構成体１０を枠状ケース４２の所定位置に保持する係止構造の構成部材である点を特徴の一つとする。
【００２７】
係止突片４２０は、図２〜４に示すように、弾性変形可能なように、枠状ケース４２にスリット４２０ｓ（図４）が形成され、片持ち支持構造となっている。具体的には、係止突片４２０は、図２，３に示すように、一端側（図２，３の上側）が枠状ケース４２の土台部４２２に一体化された支持端であり、他端側（図２，３の下側）が開放された自由端となる板状片となっている。係止突片４２０は、自由端側に、枠状ケース４２の内部側に突出する係止頭部４２０ａを備える。係止頭部４２０ａは、枠状ケース４２の上方から下方に向かって突出量が大きくなる傾斜面４２０ａｘと、傾斜面４２０ａｘの下方で貫通孔３４４ｈの内面に係止可能な係止面４２０ａｙとを備える。
【００２８】
回路構成体１０は、回路基板２０が配置されたバスバー３０の本体部３２を下側にし、バスバー３０の先端部３４６が枠状ケース４２（土台部４２２）の上面４２２ｕに当接されるまで（図２を参照）、枠状ケース４２にその上方の開口部側から収容する。係止頭部４２０ａは、回路構成体１０を枠状ケース４２に収容する際、傾斜面４２０ａｘがバスバー３０の立設部３４４の表面に当たり、立設部３４４の貫通孔３４４ｈに進入する。このとき、係止突片４２０は、片持ち支持されているため、傾斜面４２０ａｘが立設部３４４の表面に当たっている間は枠状ケース４２の外側（図２，３の左側）に弾性変形し、係止頭部４２０ａが貫通孔３４４ｈに挿入されると上記弾性変形が変形前の状態に復帰される。
【００２９】
バスバー３０の先端部３４６が枠状ケース４２の上面４２２ｕに当接されている状態では、図２に示すように、係止頭部４２０ａの係止面４２０ａｙは貫通孔３４４ｈの内面に接触していない。一方、係止頭部４２０ａが貫通孔３４４ｈに挿入された状態から、回路構成体１０を枠状ケース４２に対して持ち上げたり、回路構成体１０と枠状ケース４２との組物を逆さにしたりすると、図３に示すように、バスバー３０は、先端部３４６が枠状ケース４２の上面４２２ｕから離れる方向に動く。このとき、係止頭部４２０ａの係止面４２０ａｙが貫通孔３４４ｈの内面に係止することで、回路構成体１０は、底板（放熱部材５０）の有無に係わらず枠状ケース４２から脱落することなく、所定位置での保持がなされる。この係止構造（貫通孔３４４ｈ及び係止突片４２０）による回路構成体１０と枠状ケース４２との固定は、仮固定であり、貫通孔３４４ｈに挿入された係止頭部４２０ａを押すと係止突片４２０が弾性変形し、貫通孔３４４ｈと係止突片４２０との係止状態は解除される。
【００３０】
係止構造の形状や個数は、回路構成体１０と枠状ケース４２とを所定位置で保持できる程度に適宜選択できる。本例では、二つの立設部３４４のそれぞれに二つずつ係止構造を設けているが（図１参照）、各立設部３４４に一つ又は三つ以上設けてもよい。ただし、バスバー３０に貫通孔３４４ｈを形成する場合、貫通孔３４４ｈの形成によって導通領域に影響を及ぼさない位置や大きさを選択することが好ましい。また、本例では、貫通孔３４４ｈは、断面形状が矩形状であるが、係止突片４２０と係止可能であれば、断面形状が矩形状以外の多角形状や円形状等であってもよい。
【００３１】
土台部４２２には、上面４２２ｕから上方に向かって雄ネジ部９０が突出して配置されている。雄ネジ部９０は、頭部と軸部とを備え、頭部が土台部４２２に固定されている。本例では、土台部４２２は、雄ネジ部９０の頭部を側方から挿入可能な切欠きと、切欠き内に頭部を固定する固定部とを備える。バスバー３０の先端部３４６に形成された貫通孔３４ｈに雄ネジ部９０の軸部を挿通し、先端部３４６を土台部４２２の上面４２２ｕに載置すると共に、電線の接続端子（図示せず）と合わせてナットによって締め付けることで、バスバー３０と外部機器とを電気的に接続できる。
【００３２】
枠状ケース４２は、土台部４２２以外の上面に上部カバー４４が差し込まれる差込み溝４２４と、上部カバー４４と係合する係合部（係合突起４２６）とを備える。差込み溝４２４には、上部カバー４４の側壁部４４ｂが差し込まれる。差込み溝４２４は、上部カバー４４の側壁部４４ｂの厚みに応じた幅と側壁部４４ｂの差し込み量に応じた深さを適宜選択できる。係合突起４２６は、枠状ケース４２の周方向の適所に設けられ、上部カバー４４の側壁部４４ｂが差込み溝４２４に差し込まれた状態で、上部カバー４４と枠状ケース４２とを固定して一体化する。
【００３３】
・放熱部材
放熱部材５０は、回路構成体１０や電子部品から発生した熱を外部に放熱する部材である。放熱部材５０は、枠状ケース４２の下方の開口部を塞ぐ底板の役割を果たす。
【００３４】
枠状ケース４２には、下方開口部側の内周縁部に段差（図示せず）が形成されており、この段差部分に放熱部材５０が嵌め込まれる。放熱部材５０には、枠状ケース４２と一体化する図示しないボルトが挿通する挿通孔（図示せず）が形成されている。枠状ケース４２の段差部分には、放熱部材５０と一体化するボルトを固定するボルト穴が形成されている。放熱部材５０を枠状ケース４２の段差部分に嵌め込み、放熱部材５０の挿通孔と枠状ケース４２のボルト穴とを位置合わせしてボルトをねじ込むことで、放熱部材５０と枠状ケース４２とが一体化される。
【００３５】
・上部カバー
上部カバー４４は、図１に示すように、枠状ケース４２の上方の開口部を覆い、ケース４０の上面を形成する平板状の天井部４４ａと、天井部４４ａの周縁から浅く立設される略矩形枠状の側壁部４４ｂとで構成された一体物である。上部カバー４４は、側壁部４４ｂが枠状ケース４２の差込み溝４２４に差し込まれると共に、側壁部４４ｂに設けられた係合孔４４６に枠状ケース４２の係合突起４２６が係合することで、枠状ケース４２に固定され一体化される。
【００３６】
上部カバー４４は、枠状ケース４２の土台部４２２を露出させた状態で枠状ケース４２の上方を覆うような形状に形成されており、外壁の一部に切欠き部４４ｃを有する。この切欠き部４４ｃにより、枠状ケース４２に上部カバー４４が固定された状態においても、バスバー３０の先端部３４６を通すことができる隙間が確保される。この隙間によって、土台部４２２の上面４２２ｕにバスバー３０の先端部３４６を載置できる。
【００３７】
上部カバー４４の側壁部４４ｂに上側凹部４４８を備え、枠状ケース４２における上側凹部４４８に対応する位置に下側凹部４２８を備え、上側凹部４４８及び下側凹部４２８で形成される開口部にはコネクタ部２２が配置される。
【００３８】
〔効果〕
上記基板ユニット１は、係止構造として、立設部３４４に貫通孔３４４ｈと、枠状ケース４２の内面４２ｍに係止突片４２０とを備えることで、枠状ケース４２に回路構成体１０を組み付けるだけで、回路構成体１０と枠状ケース４２とを容易に係止できる。また、各立設部３４４が本体部３２を挟んで一方と他方に延びて枠状ケース４２に係止されるため、本体部３２を挟んで両側から安定して回路構成体１０を枠状ケース４２に固定できる。特に、係止突片４２０が弾性変形可能な片持ち支持構造であるため、回路構成体１０を枠状ケース４２に組み付ける際に、バスバー３０に大きな力をかけることなく、係止突片４２０を貫通孔３４４ｈに挿入することができる。
【００３９】
回路構成体１０と枠状ケース４２とを組み付けるだけで、回路構成体１０と枠状ケース４２とを係止できるため、回路構成体１０と枠状ケース４２とを固定する工程を別に設ける必要がなく作業性にも優れる。また、回路構成体１０及び枠状ケース４２以外の部材（例えば、ネジ等）を用いる必要がないため、部品点数も削減できる。
【００４０】
≪実施形態２≫
実施形態２では、図５に示すように、係止構造が、バスバー３０の先端部３４６に形成される貫通孔３４６ｈと、枠状ケース４２（土台部４２２）の上面４２２ｕに設けられる係止突片４２０とを備える形態を説明する。図５は、貫通孔３４６ｈに係止突片４２０が係止している状態を、枠状ケース４２の内側又は外側から見たときの概略断面図である。実施形態２では、係止構造が、バスバー３０の先端部３４６及び枠状ケース４２（土台部４２２）の上面４２２ｕに設けられる点が実施形態１と異なり、その他の構成は実施形態１と同様である。
【００４１】
バスバー３０の先端部３４６には、回路構成体１０を枠状ケース４２の所定位置に保持するために貫通孔３４６ｈが設けられている。本例では、各先端部３４６に二つの貫通孔３４６ｈを備える。そして、枠状ケース４２の土台部４２２の上面４２２ｕには、先端部３４６の貫通孔３４６ｈに係止する係止突片４２０が設けられている。係止突片４２０は、実施形態１と同様に、外側に張り出す係止頭部４２０ａを備える。係止頭部４２０ａは、貫通孔３４６ｈに挿入される際に貫通孔３４６ｈの周縁に当たる傾斜面４２０ａｘと、係止頭部４２０ａが貫通孔３４６ｈに挿入された際に先端部３４６の表面に当接する係止面４２０ａｙとを備える。係止突片４２０は、係止頭部４２０ａを周方向に複数（ここでは二つ）に分割する分割突片４２０ｄで構成される。分割突片４２０ｄを組み合わせたとき、その中心部には係止突片４２０の突出方向に沿ってスリットが形成されており、係止頭部４２０ａが貫通孔３４６ｈに挿入される際に分割突片４２０ｄが互いに近づくように縮径可能となっている。複数の分割突片４２０ｄは、縮径していない自然状態では、係止頭部４２０ａの最大径が貫通孔３４６ｈの内径よりも大きくなる。
【００４２】
本例では、二つの分割突片４２０ｄとしたが、三つ以上であってもよい。また、本例では、係止突片４２０の突出方向全長に亘ってスリットが形成されるように分割突片４２０ｄを設けたが、係止突片４２０の先端部分（係止頭部４２０ａの部分）だけが分割されていてもよい。
【００４３】
係止頭部４２０ａは、回路構成体１０を枠状ケース４２に収容する際、傾斜面４２０ａｘが貫通孔３４６ｈの周縁に当たりながら、貫通孔３４６ｈに進入する。このとき、分割突片４２０ｄが互いに近づくように縮径しながら貫通孔３４６ｈに進入する。係止頭部４２０ａが貫通孔３４６ｈに挿入されると分割突片４２０ｄは縮径前の自然状態に復帰すると共に、係止頭部４２０ａの係止面４２０ａｙが貫通孔３４６ｈの周縁部分に係止する。それにより、例えば、回路構成体１０と枠状ケース４２との組物を逆さにしたとしても、貫通孔３４６ｈの周縁部分に係止面４２０ａｙが当接することで、枠状ケース４２から回路構成体１０が脱落することなく、両者１０，４２の所定位置での保持がなされる。
【００４４】
≪実施形態３≫
実施形態３では、図６に示すように、係止構造が、枠状ケース４２（土台部４２２）の表面からバスバー３０の先端部３４６の外周側面に沿って先端部３４６の外表面側に亘る係止突片４２０を備える形態を説明する。図６は、係止突片４２０に先端部３４６の表面縁部が係止されている状態を、枠状ケース４２の内側又は外側から見たときの概略断面図である。実施形態３では、係止構造が、バスバー３０の先端部３４６の表面縁部に設けられる点が実施形態２と異なり、その他の構成は実施形態２（実施形態１）と同様である。
【００４５】
枠状ケース４２の土台部４２２の上面４２２ｕには、上方に突出する一対の係止突片４２０，４２０が設けられている。一対の係止突片４２０，４２０は、バスバー３０の先端部３４６における延設部３４の突設方向と交差する方向の対向位置に設けられている。一対の係止突片４２０，４２０のそれぞれは、互いに向き合う方向に張り出す係止頭部４２０ａを備える。係止頭部４２０ａは、バスバー３０の先端部３４６を土台部４２２の上面４２２ｕ上に載置する際に先端部３４６の縁部に当たる傾斜面４２０ａｘと、一対の係止突片４２０，４２０間に先端部３４６を挟持した際にバスバー３０の表面縁部に当接する係止面４２０ａｙとを備える。
【００４６】
≪実施形態４≫
実施形態４では、図７に示すように、係止構造が、バスバー３０の先端部３４６の周縁部から下方に突出する係止突片４２０と、枠状ケース４２（土台部４２２）における延設部３４の突設方向と交差する方向の側壁部分に形成される凹部４２２ｂとを備える形態を説明する。図７は、凹部４２２ｂに係止突片４２０が係止されている状態を、枠状ケース４２の内側又は外側から見たときの概略断面図である。実施形態４では、係止構造が、バスバー３０の先端部３４６の側縁部で下方に突出する係止突片と、土台部４２２に形成される凹部４２２ｂとを備える点が実施形態２と異なり、その他の構成は実施形態２（実施形態１）と同様である。
【００４７】
本発明はこれらの例示に限定されるものではなく、特許請求の範囲によって示され、特許請求の範囲と均等の意味および範囲内でのすべての変更が含まれることが意図される。例えば、係止構造の形状や個数、形成箇所等を変更することができる。
【符号の説明】
【００４８】
１  基板ユニット
１０  回路構成体
２０  回路基板    ２２  コネクタ部
３０  バスバー
３２  本体部
３４  延設部    ３４ｈ  貫通孔
３４０  対面部
３４２  基端部    ３４４  立設部    ３４６  先端部
３４４ｈ，３４６ｈ  貫通孔
４０  ケース
４２  枠状ケース    ４２ｍ  内面
４２０  係止突片    ４２０ｄ  分割突片
４２０ａ  係止頭部    ４２０ａｘ  傾斜面    ４２０ａｙ  係止面
４２０ｓ  スリット
４２２  土台部    ４２２ｕ  上面    ４２２ｂ  凹部
４２４  差込み溝    ４２６  係合突起    ４２８  下側凹部
４４  上部カバー
４４ａ  天井部    ４４ｂ  側壁部    ４４ｃ  切欠き部
４４６  係合孔    ４４８  上側凹部
５０  放熱部材
９０  雄ネジ部
【図１】
0006628042.tif 000002
【図２】
0006628042.tif 000003
【図３】
0006628042.tif 000004
【図４】
0006628042.tif 000005
【図５】
0006628042.tif 000006
【図６】
0006628042.tif 000007
【図７】
0006628042.tif 000008